(57)【要約】【課題】  スキャナ装置等の画像読取装置において、カールした原稿を読み取る際に、原稿のカールを矯正し、原稿の位置決めを容易に行うことができる。【解決手段】  原稿６が載置される原稿台と、装置本体に開閉可能に設けられ、上記原稿台に載置された原稿６を押圧する原稿押圧部材とからなる画像読取装置において、上記原稿台もしくは前記原稿押圧部材のどちらか一方に少なくとも二辺の一部が取り付けられ、上記原稿台もしくは上記原稿押圧部材とにより、上記原稿を保持する透明シートを有する。【選択図】        図１
2009177698.tif 000002
【特許請求の範囲】
【請求項１】
原稿が載置される原稿台と、
装置本体に開閉可能に設けられ、前記原稿台に載置された原稿を押圧する原稿押圧部材とからなる画像読取装置において、
前記原稿台もしくは前記原稿押圧部材のどちらか一方に少なくとも二辺の一部が取り付けられ、前記原稿台もしくは前記原稿押圧部材とにより、前記原稿を保持する透明シートを有することを特徴とする画像読取装置。
【請求項２】
前記透明シートは、大きさが前記原稿台の読取範囲以上であることを特徴とする請求項１に記載の画像読取装置。
【請求項３】
前記透明シートは、前記原稿台もしくは前記原稿押圧部材に対して着脱自在であることを特徴とする請求項１に記載の画像読取装置。
【請求項４】
原稿が載置される原稿台と、
装置本体に開閉可能に設けられ、前記原稿台に載置された原稿を押圧する原稿押圧部材とからなる画像読取装置において、
前記原稿を保持する磁性を有する透明シートを有し、
前記原稿台もしくは前記原稿押圧部材のどちらか一方に磁性材料を含有することを特徴とする画像読取装置。
【請求項５】
前記透明シートは、前記原稿台もしくは前記原稿押圧部材のどちらか一方に少なくとも
二辺の一部が取り付けられる取り付け部を有することを特徴とする請求項１乃至請求４のいずれか１項に記載の画像読取装置。
【請求項６】
前記取り付け部は、面ファスナから成ることを特徴とする請求項５に記載の画像読取装置。
【請求項７】
前記取り付け部は、磁石から成ることを特徴とする請求項５に記載の画像読取装置。
【発明の詳細な説明】
【技術分野】
【０００１】
本発明は、複写機、スキャナ装置等の画像読取装置に関する。
【背景技術】
【０００２】
従来、複写機、スキャナ装置等の画像読取装置においては、下記特許文献１に開示されているように、原稿を読み取らせるために、原稿を密着して載置するためのコンタクトガラスを有する原稿台と、このコンタクトガラス上に原稿を挟圧保持する原稿押圧部としてのカバーが設けられている。
【特許文献１】特開２００６−７８５１６号公報
【発明の開示】
【発明が解決しようとする課題】
【０００３】
しかしながら、感熱紙等の筒状にカールした原稿を原稿台に載置するには、カールした原稿を片手で平坦化し、素早く他方の手で原稿押圧部を閉じる必要があり、その際に原稿の位置がずれたり、原稿が折れ曲がったりする不具合が生じることがある。
そこで、本発明は、上記従来の問題点に鑑みてなされたものであり、カールした原稿の位置決めを簡単に行うことができる画像読取装置を提供することを目的とする。
【課題を解決するための手段】
【０００４】
本発明は、以上の問題を解決するために、次の構成を具備する。
【０００５】
本発明の画像読取装置は、原稿が載置される原稿台と、装置本体に開閉可能に設けられ、上記原稿台に載置された原稿を押圧する原稿押圧部材とからなる画像読取装置において、
上記原稿台もしくは前記原稿押圧部材のどちらか一方に少なくとも二辺の一部が取り付けられ、上記原稿台もしくは上記原稿押圧部材とにより、上記原稿を保持する透明シートを有する。
【発明の効果】
【０００６】
本発明によれば、原稿押圧部もしくは原稿台に取り付けられる原稿抑え部に、その開口部からカールした原稿を平坦に広げながら挟み込むことで、カールしていた原稿を原稿台に対し簡単かつ正確にセットすることができる。
【発明を実施するための最良の形態】
【０００７】
以下、本発明の実施形態について図面を用いて説明する。ここでは、画像読取装置としてスキャナ装置が示されている。
【実施例１】
【０００８】
図１は、実施例１のスキャナ装置の斜視図である。
図で示すように、実施例１のスキャナ装置３０は、画像読取部１及び原稿押圧部３からなる。
【０００９】
画像読取部１には、原稿６を載置するための透明なコンタクトガラス２からなる原稿台と、操作部５が設けられている。コンタクトガラス２では、その角部が画像読取の基準位置２ａとして設定されている。画像読取部１の側端には、原稿押圧部３が可動支持部３ａにより、上下方向への移動又は可動支持部３ａを中心とした回動を行うことでコンタクトガラス２に対して開閉可能に取り付けられている。
【００１０】
原稿押圧部３は、図示しないスポンジ材、スプリング等で保持されて原稿６を加圧するための加圧板３ｂを有している。加圧板３ｂには、可撓性を有する透明材料で形成された本発明に係る原稿抑え部４が着脱可能に取り付けられる。
【００１１】
原稿抑え部４は、図１及び図２に示すようにＰＥＴ材からなる矩形の透明シート４Ａと、この透明シート４Ａの直交する二辺に固着されているＬ字状の面ファスナー４Ｂ（例えば登録商標マジックテープやベルクロファスナーなど）と、面ファスナー４Ｂの長辺に沿った部分に一定間隔で取り付けられている位置決め用の複数のポスト４Ｃと、加圧板３ｂにその直交する側縁に沿って固着されているＬ字状の面ファスナー４Ｄと、面ファスナー４Ｄの長辺に沿って該ファスナー４Ｄを介して後方の加圧板３ｂに一定間隔で設けられている複数の位置決め穴４Ｅとを含んでいる。
【００１２】
以上の構成を有する原稿抑え部４は、各位置決め穴４Ｅに各ポスト４Ｃを整合させて挿入し、加圧板３ｂ側の面ファスナー４Ｄに透明シート４Ａ側の同ファスナー４Ｂを押し付けることにより、加圧板３ｂに着脱可能に取り付けられる。なお、基準位置４ｂに最も近い位置決め穴４Ｅａは、ポスト４Ｃに対応した円形状であり、他方の位置決め穴４Ｅは、取り付け公差を考慮して長穴形状を有している。なお、本実施例では位置決め穴４Ｅとポスト４Ｃを２対で構成しているが、３対以上でも構成しても良い。
このような取り付け状態の原稿抑え部４において、透明シート４Ａの面ファスナー４Ｂを有しない角部４ａを、加圧板３ｂの板面から離間させると、透明シート４Ａと加圧板３ｂの板面との間で開口部が形成されるので、この開口部から原稿６を透明シート４Ａと加圧板３ｂとの間に挟み入れることができる。
【００１３】
透明シート４Ａのファスナー側の角部は、原稿を配置するための基準位置４ｂとして設定され、この基準位置４ｂは、原稿押圧部３を閉じた場合にコンタクトガラス２の基準位置２ａと一致している。透明シート４Ａの縦横の寸法は、コンタクトガラス２の縦横の寸法よりも大きく設定されているので、原稿押圧部３を閉じて原稿６の読み取り操作を実行しても、透明シート４Ａの縁部が画像に現れることはない。
【００１４】
なお、コンタクトガラス２と原稿６との間に距離が生じると、画像読み取りの際に焦点がずれる。従って、焦点ずれがおきないように透明シート４Ａを薄くする必要がある。一方、カールした原稿６を平坦化し、元に戻らないようにするためには強度が必要となる。
これらの相反する条件を満足させるためには透明シート４Ａの厚さを０．１ｍｍから０．２ｍｍに設定するのが望ましい。更に望ましくは、透明シート４Ａの厚さを０．１５ｍｍとする。
【００１５】
次に、原稿６をスキャナ装置３０にセットする動作について図１を用いて説明する。
原稿押圧部３を上方に開き、原稿押圧部３の透明シート４Ａの角部４ａを加圧板３ｂから離間する方向に引いて、開口し、その開口部から原稿６の読み取り面がコンタクトガラス２と対向するようにカールしている原稿６を平坦化しながら挟みいれる。この場合、原稿６の角が透明シート４Ａの基準位置４ｂと一致するように原稿６をセットする。
【００１６】
次に原稿押圧部３を原稿台と接近する方向に閉じれば、透明シート４Ａと加圧板３ｂの間で原稿６は、完全に平坦化され、原稿６の正常な読み取りが可能な状態となる。
原稿６の読み取りが完了すると、原稿押圧部３を開き、透明シート４Ａと加圧板３ｂとの開口部から原稿６を取り出す。
【００１７】
なお、実施例１では、原稿抑え部４を原稿押圧部３に着脱可能に取り付ける構成としたが、原稿抑え部４を原稿台に着脱可能に取り付ける構成にしても構わない。ここで、原稿抑え部４を原稿台に取り付ける構成について説明する。
【００１８】
図３は、実施例１の原稿抑え部を原稿台に取り付けた構成の説明図である。
図は、原稿台を真上から見た図である。原稿台には、透明シート４Ａの位置決めポスト４Ｃと嵌合可能な位置決め穴が設けられ、透明シート４Ａの面ファスナー４Ｂとの取り付け面に面ファスナーを設置する。これにより原稿台の上に透明シート４Ａが取り付けられる。
【００１９】
以上のように、実施例１によれば、原稿押圧部３もしくは原稿台に取り付けられる原稿抑え部４との間にカールしていた原稿６を平坦化して挟み込むことで、原稿６を簡単にセットすることが可能である。
また、原稿６の角部を基準位置４ｂに合わせることで位置決めを行うことが可能である。
しかも、原稿抑え部４は、原稿押圧部３もしくは原稿台から着脱可能であり、カールした原稿６を読み取る必要がない場合は、取り外しておくことが可能である。従って、原稿抑え部４が劣化するのを防ぐことができ、又原稿抑え部４が傷ついたり、破損した場合は、新しい原稿抑え部４と交換することが可能である。
【実施例２】
【００２０】
本実施例では、透明シートに磁性材を積層し、原稿押圧部の加圧板にも磁性材を含有させることで、透明シートを加圧板に吸着させる構成とする。これにより、カールした原稿は、吸着された透明シートと加圧板との間で平坦化される。
【００２１】
図４は、実施例２のスキャナ装置の斜視図である。
図で示すように、実施例２のスキャナ装置４０は、画像読取部１及び原稿押圧部１３からなる。
【００２２】
画像読取部１には、原稿６を載置するための透明なコンタクトガラス２からなる原稿台と操作部５が設けられている。画像読取部１の側端には、原稿押圧部１３が可動支持部３ａにより、上下方向への移動又は可動支持部３ａを中心とした回動を行うことでコンタクトガラス２に対して開閉可能に取り付けられている。
【００２３】
原稿押圧部１３は、図示しないスポンジ材、スプリング等で保持されて原稿６を加圧するための加圧板１３ｂを有している。
【００２４】
図５は、実施例２の加圧版と透明シートの取り付けを示す斜視図である。
加圧板１３ｂには、可撓性を有する透明材料で形成された本発明に係る原稿を抑える部材である透明シート１４Ａを含む原稿抑え部１４が着脱可能に取り付けられる。また、原稿押圧部１３の加圧板１３ｂの表面には、磁性材が含有されている。
【００２５】
一方、透明シート１４Ａの加圧板１３ｂとの接触面には、下記の非特許文献１に記載の「磁性半導体ナノシート」で示される透明磁性材料が積層されている。
この透明磁性材料は、約１ｎｍの厚みを持つ新型酸化チタンをベースにチタン格子位置にコバルト、鉄などの磁性元素を置換した磁性半導体ナノシートの多層膜で作製されている。また、磁性半導体ナノシートの積層数や隣接するナノシートの種類を変化させた人工超格子を作製することで、強度増強などの特性変化が期待できる。
【００２６】
積層された透明磁性材料を有する透明シート１４Ａは、加圧板１３ｂに磁力によって吸着される。磁力は、操作者が片手で透明シート１４Ａを引き剥がすことができ、カールした原稿６を加圧板１３ｂと透明シート１４Ａの間に挟んだときに、撓まない程度の吸着力とする。また、透明シート１４Ａには、実施例１と同様に面ファスナー４Ｂを設けてあり、取り付ける加圧板１３ｂにも面ファスナー４Ｄが設けられている。なお、他の構成については実施例１と同様に付き説明を省略する。
【００２７】
次に、原稿６をスキャナ装置４０にセットする動作について図４を用いて説明する。
原稿押圧部１３を上方に開き、原稿押圧部１３の透明シート１４Ａの角部４ａを加圧板１３ｂから離間する方向に引いて、開口し、その開口部から原稿６の読み取り面がコンタクトガラス２と対向するようにカールしている原稿６を平坦化しながら挟みいれる。この場合、原稿６の角が透明シート１４Ａの基準位置４ｂと一致するように原稿６をセットする。原稿６をセットした後、積層された透明磁性材料を有する透明シート１４Ａを加圧板１３ｂに近づけると、磁力によって透明シート１４Ａは、加圧板１３ｂに吸着される。
【００２８】
次に原稿押圧部１３を原稿台と接近する方向に閉じれば、透明シート１４Ａと加圧板１３ｂの間で原稿６は、完全に平坦化され、原稿６の正常な読み取りが可能な状態となる。
原稿６の読み取りが完了すると、原稿押圧部１３を開き、透明シート１４Ａと加圧板１３ｂとの開口部から原稿６を取り出す。
【００２９】
この作業過程において、透明シート１４Ａは、原稿押圧部１３に磁力で吸い付いているため、オペレータはその力に抗いながら原稿６を挿入することになるが、この過程で原稿６は、カールが平坦化、つまり引き延ばされていく。また、原稿６のカール反力が大きくても透明シート１４Ａは、作用する磁力によって原稿押圧部１３に吸い付くため、原稿６のカール反力に負けて透明シート１４Ａが撓み、原稿押圧部１３との間に隙間ができて原稿６のセット位置がすれてしまうことがない。
【００３０】
なお、実施例２も実施例１同様に、透明シート１４Ａをコンタクトガラス２側に着脱可能に取り付けられる構成にしても構わない。
【００３１】
なお、実施例２では、透明シート１４Ａの表面に原稿押圧部１３と吸着するための磁性材を積層しているので、この磁力により透明シート１４Ａと加圧板１３ｂが離反しない構造であれば、透明シート１４Ａ並びに加圧板１３ｂに設けた面ファスナーを用いない構成にしても構わない。
【００３２】
なお、本発明では、原稿抑え部を着脱可能に取り付けるために面ファスナーを用いているが、代わりに磁石を用いた構成にしても構わない。
【００３３】
以上のように、実施例２によれば、原稿抑え部１４が磁性を有する柔軟性のある素材で形成されているため、カールした原稿６を原稿抑え部１４の中に挿入しても、カールの反力によって原稿抑え部１４が浮き上がることがない。更に、原稿６は、密着して保持されているので、原稿抑え部１４の中で位置ずれを起こす事がない。
【産業上の利用可能性】
【００３４】
なお、本発明は、複写機、ファクシミリ装置等の画像読取装置や、前記画像読取装置からなる画像形成装置に利用可能である。
【００３５】
この出願の発明に関連する先行技術文献情報は次のものである。
【非特許文献１】長田実外数名、“次世代の高速・大容量光情報通信に適用可能な酸化物ナノ材料”［ｏｎｌｉｎｅ］平成１７年１２月１９日、独立行政法人物質・材料研究機構、［平成１９年１１月２１日検索］、インタ−ネット＜ＵＲＬ：ｈｔｔｐ：／／ｗｗｗ．ｎｉｍｓ．ｇｏ．ｊｐ／ｊｐｎ／ｎｅｗｓ／ｐｒｅｓｓ／ｐｄｆ／ｐｒｅｓｓ１３５．ｐｄｆ＞
【図面の簡単な説明】
【００３６】
【図１】実施例１のスキャナ装置の斜視図である。
【図２】実施例１の加圧板と透明シートの取り付けを示す斜視図である。
【図３】実施例１の原稿抑え部を原稿台に取り付けた構成の説明図である。
【図４】実施例２のスキャナ装置の斜視図である。
【図５】実施例２の加圧板と透明シートの取り付けを示す斜視図である。
【符号の説明】
【００３７】
１  画像読取部
２  コンタクトガラス
２ａ、４ｂ  基準位置
３、１３  原稿押圧部
３ａ  ヒンジ部
３ｂ、１３ｂ  加圧板
４、１４  原稿抑え部
４Ａ、１４Ａ  透明シート
４Ｂ、４Ｄ  面ファスナー
４Ｃ  ポスト
４Ｅ、４Ｅａ  位置決め穴
５  操作部
６  原稿
３０、４０  スキャナ装置
【図１】
2009177698.tif 000003
【図２】
2009177698.tif 000004
【図３】
2009177698.tif 000005
【図４】
2009177698.tif 000006
【図５】
2009177698.tif 000007